(57)【要約】【課題】「ゴースト」や「動きぼけ」の発生がなく、高画質な動画表示が可能なアクティブマトリックス型液晶表示装置を提供する。【解決手段】入力された現フレーム画像信号から現フレームにて液晶に印加する電圧を決定し、液晶が１フレーム期間経過後に前記現フレーム画像信号の定める透過率となる電圧を、現フレームにて液晶に印加する。また、画像表示部を領域へと分割して照明することのできる光源を備え、各領域の走査終了後一定の遅延期間を経てから、この領域を照明する。さらに、液晶の温度を検出し、検出した温度にもとづいて、１フレーム後に目標の透過率を実現するために必要な電圧を決定し、印加する。また、インターレース方式の画像信号を表示する場合においては、各フィールドにおいて本来は非選択である走査線も走査し、この走査線に接続されている画素に消去信号を書き込む。【選択図】図４
2006048074.tif 000002
【特許請求の範囲】
【請求項１】
液晶の温度を検出する温度検出回路と、
現フレーム画像信号を記憶し一定時間の遅延ののちに前フレーム画像信号として出力するフレームメモリと、
前フレーム画像信号の各値および現フレーム画像信号の各値に対応させて出力データを格納した複数の信号変換用テーブルと、
前記温度検出回路からの信号にもとづいて前記信号変換用テーブルのいずれか１つを使用し、現フレーム画像信号および現フレーム画像信号から出力データを決定する演算器と
を備える液晶表示装置。
【請求項２】
液晶の温度を検出する温度検出回路と、
現フレーム画像信号のデータ量を削減するデータ変換手段と、
変換後の現フレーム画像信号を記憶し、一定時間の遅延ののちに前フレーム画像信号として出力するフレームメモリと、
前フレーム画像信号の各値の一部、および現フレーム画像信号の各値の一部に対応させて出力データを格納した複数の信号変換用テーブルと、
前フレーム画像信号の各値の一部、および現フレーム画像信号の各値の一部に対応させて補間用差分データを格納した信号変換用補間テーブルと、
前記温度検出回路からの信号にもとづいて前記信号変換用テーブルのいずれか１つ、および前記信号変換用補間テーブルを使用して、現フレーム画像信号および前フレーム画像信号から出力データを決定する演算器と
を備える液晶表示装置。
【発明の詳細な説明】
【技術分野】
【０００１】
本発明は、液晶表示装置に関し、とくに各画素の液晶に電圧を印加するための駆動手段および照明光源とを有する液晶表示装置に関する。
【背景技術】
【０００２】
液晶表示装置（以下、ＬＣＤという）は、高精細な表示が得られ、かつ低消費電力、省スペースといった特徴を有しており、コンピュータモニタやテレビジョン表示装置などの様々な用途において全面的に陰極線管（以下、ＣＲＴという）に代替することが期待されている。しかし、ＬＣＤは、ＣＲＴに比べて動画表示における画質が十分でないことから、動画品質の向上が求められている。とくに、テレビジョン表示装置への応用に際しては、現行のテレビジョン信号に基づく動画を高画質に表示できることが必要となる。
【０００３】
ＬＣＤの動画表示における問題点は、主に以下の点にあるとされている。まず、図２０（ａ）に示すように、黒い背景中を白い物体５０が矢印の方向に移動する画面を表示する場合、ＬＣＤでは、図２０（ｂ）に示すように観視者に物体５０の輪郭がぼけて知覚される「動きぼけ」が発生する。また、図２０（ｃ）に示すように移動前の物体５０の残像５１が知覚される「ゴースト」も発生する。
【０００４】
こうした動画表示上の問題は、一つには、信号に対する液晶の応答時間が長いことに起因する。現在一般に用いられているツイステッドネマチック型（以下、ＴＮ型という）やスーパ・ツイステッド・ネマチック型（以下、ＳＴＮ型という）のＬＣＤにおいては、液晶に電界を印加してから液晶分子の配列が変化して所望の光透過率に達するまでの電気光学応答時間が、一般的な画像信号における一画面（以下、１フレームという）の表示周期である１６．７ｍｓｅｃよりも数倍長い。したがって、図２１に示すように、黒表示を行なっていた液晶に白表示のための電圧を印加したとしても、液晶が完全に白表示の状態に到達するまでには比較的長い時間が必要となり、１フレーム期間内に動き部分の液晶の光学応答が完了しない。この液晶の光学応答の遅れが、「動きぼけ」や「ゴースト」として視認されてしまう。
【０００５】
また、ＬＣＤが、次のフレームの画像情報に書き換えられるまで発光を続けるホールド型であることも、動画に対する表示品質が低い原因であるとされている。ＬＣＤとして多く用いられている薄膜トランジスタ型（以下、ＴＦＴ型という）ＬＣＤは、液晶に電界を印加することにより蓄えられた電荷が次に電界を印加するまで比較的高い割合で保持される。このため、図２２（ａ）に示すように、ＬＣＤの各画素は次のフレームの画像情報に基づく電界印加により書き換えられるまで発光を続ける。一方、電子ビームを走査して蛍光体を発光させて表示を行うＣＲＴ表示装置においては、図２２（ｂ）に示すように、各画素の発光はおおむねインパルス状となる。したがって、ＬＣＤは、ＣＲＴに比べて画像表示光の時間周波数特性が低く、それにともない空間周波数特性も低下して観視画像のぼけを生じる。
【０００６】
ＬＣＤの動画表示における画質を向上するため、バックライトを分割して駆動する例が、例えば特開平１１−２０２２８５号公報に開示されている。図２３は、このような液晶表示装置の構成を示すブロック図である。液晶パネルの背面に配置されたバックライト５４を、複数の発光領域５４ａ〜５４ｄに分割し、対応する領域の液晶パネルへの画像書き込み操作に対して、一定の時間遅延を持たせながら、各発光領域５４ａ〜５４ｄにあるランプ５６を、点灯制御回路６０によって順次発光させる。
【０００７】
図２４は、このような液晶表示装置における、液晶の光学応答とバックライト発光タイミングの関係を示すタイミング図である。図２４において、上段は液晶への書き込み電圧、中段は液晶の光学応答、下段はバックライトの発光タイミングを示す。
【０００８】
まず、前フレームにおいて、黒信号から白信号に書き換えられたｎ行目の画素の液晶光学応答６４は、書き換え直後のフレーム期間中に輝度が大きく増加し、その後、数フレームをかけて完全な白表示となる。つづく次フレームにおいて、黒信号から白信号に書き換えられた（ｎ+１）行目の画素の液晶光学応答６５は、１フレーム期間（約１６ｍｓｅｃ）遅れて、ｎ行目の画素と同様の挙動を示す。
【０００９】
バックライトは、図２４の下段に示すように、各フレーム期間において、画像信号の書き換えから一定の遅延時間が経過した後の所定期間にのみ点灯する。これにより、液晶光学応答の変化の途中経過が観視者にあまり見えず、また、各画素の発光がインパルス状に近くなるため、動画表示における画質が向上する。
【発明の開示】
【発明が解決しようとする課題】
【００１０】
しかし、以上説明した従来の液晶表示装置では、前述の動画表示における問題点のうち、「動きぼけ」は改善されるものの、「ゴースト」を十分に消すことができない。図２０（ｃ）に示すように、ゴーストが生じる原因は、黒画像から白画像に書き換えられる領域５２と白画像から白画像に書き換えられる領域５３との間に、液晶の応答時間の違いに基づくコントラスト差が生じることにある。しかし、一般的なＴＮ型液晶の応答時間は１フレーム期間よりも数倍長いため、図２４に示すように、黒画像から白画像に書き換えられる領域５２に対応する液晶光学応答６４と、白画像から白画像に書き換えられる領域５３に対応する液晶光学応答６６との間には、バックライトが点灯する期間においても輝度差が存在する。この輝度差が完全に解消するのは、書き換えを行ってから数フレーム後である。したがって、バックライトの点灯期間をいくら短く制限しても、「ゴースト」が残ってしまう。
【００１１】
また、すでに図２１にて説明したように、液晶の応答は比較的遅く、応答がほぼ完了するまでには数フレームの時間を要している。にもかかわらず、従来の液晶表示装置では、充分な時間が経過し液晶の応答がほぼ完了した状態で所望の透過率が得られるような電圧を、液晶に印加していた。このため、現フレーム中には液晶の透過率は所望の透過率には達せず、これが動画表示品質の低下を引き起こしていた。
【００１２】
そこで本発明は、応答速度の遅いＴＮ型液晶などを用いても「ゴースト」を除去することができ、また、液晶の応答の遅さを補い良好な品質の動画表示を得ることのできる液晶表示装置を提供する。さらに本発明は、液晶の応答が高速で動画の表示性能に優れた液晶表示装置を、メモリの必要量および回路規模を著しく増大させることなく提供することを目的とする。
【課題を解決するための手段】
【００１３】
前記課題を解決するために、本発明の一態様における液晶表示装置は、液晶の温度を検出する温度検出回路と、現フレーム画像信号を記憶し一定時間の遅延ののちに前フレーム画像信号として出力するフレームメモリと、前フレーム画像信号の各値および現フレーム画像信号の各値に対応させて出力データを格納した複数の信号変換用テーブルと、前記温度検出回路からの信号にもとづいて前記信号変換用テーブルのいずれか１つを使用し、現フレーム画像信号および現フレーム画像信号から出力データを決定する演算器とを備えることを特徴とする。
【００１４】
また、本発明のほかの態様における液晶表示装置は、液晶の温度を検出する温度検出回路と、現フレーム画像信号のデータ量を削減するデータ変換手段と、
変換後の現フレーム画像信号を記憶し、一定時間の遅延ののちに前フレーム画像信号として出力するフレームメモリと、前フレーム画像信号の各値の一部、および現フレーム画像信号の各値の一部に対応させて出力データを格納した複数の信号変換用テーブルと、前フレーム画像信号の各値の一部、および現フレーム画像信号の各値の一部に対応させて補間用差分データを格納した信号変換用補間テーブルと、前記温度検出回路からの信号にもとづいて前記信号変換用テーブルのいずれか１つ、および前記信号変換用補間テーブルを使用して、現フレーム画像信号および前フレーム画像信号から出力データを決定する演算器とを備えることを特徴とする。
【発明の効果】
【００１５】
本発明によれば、現フレームで印加する電圧を１フレーム期間後に液晶が所望の透過率となる電圧とし、さらに垂直走査方向に対して複数個に区分された発光領域を、液晶表示部の垂直同期信号に同期して一定の時間遅延を持たせながら、順次点灯および消灯させて画像表示部を照明することにより、液晶の光学応答が高速化されるととともに、監視者にとって発光時間の短いインパルス状の表示となるため、表示物体の残像や輪郭ボケがなく、動画表示品質の良好な液晶表示装置を得ることができる。
【００１６】
また、本発明によれば、液晶の温度を検出し、検出した温度を考慮に入れて、現フレームにて液晶に印加する電圧を決定するため、周温やバックライトの発熱状態にかかわらず常に、１フレーム期間後に液晶が所望の透過率となる電圧を印加することが可能になる。さらに、垂直走査方向に対して複数個に区分された発光領域を、液晶表示部の垂直同期信号に同期して一定の時間遅延を持たせながら、順次点灯および消灯させて画像表示部を照明することにより、液晶の光学応答が高速化されるととともに、監視者にとって発光時間の短いインパルス状の表示となるため、表示物体の残像や輪郭ボケがなく、動画表示品質の良好な液晶表示装置を得ることができる。
【００１７】
また、本発明によれば、前フレームの透過率および現フレームにおいて所望する透過率をそれぞれ行と列とし、行と列との交点に液晶に印加するべき電圧を配置した信号変換用テーブルを用いることにより、１フレーム期間後に液晶が所望の透過率となる電圧を印加することができ、動画表示品質の良好な液晶表示装置を得ることができる。
【００１８】
また、本発明によれば、信号変換用テーブルを記憶するためのパラメータメモリおよび演算器とパラメータメモリとを接続するデータ線を削減することができ、回路規模が小さく安価であり、かつ動画の表示性能に優れた液晶表示装置を得ることができる。
【００１９】
さらに、本発明によれば、前フレーム画像信号を記憶するためのフレームメモリおよび演算器とフレームメモリとを接続するデータ線をも削減することができ、回路規模が小さく安価であり、かつ動画の表示性能に優れた液晶表示装置を得ることができる。
【００２０】
また、本発明によれば、信号変換用差分テーブルに格納した補間用差分データを使用し、現フレーム画像信号および前フレーム画像信号から出力データを決定するため、計算量を少なくして回路規模の小型化をはかりつつ、動画の表示性能に優れた液晶表示装置を得ることが可能である。
【００２１】
また、本発明によれば、前フレーム画像信号のビット長と前記信号変換用テーブルの前フレーム画像信号のビット長とを等しくすることにより、補間を行なうための計算量を減らすことができ、回路規模が小さく安価かつ動画の表示性能に優れた液晶表示装置の駆動回路を得ることが可能である。
【００２２】
また、本発明の液晶表示装置は、インターレース方式の画像信号の表示に際して、一方のフィールドにおいて画像信号の書き込みを行い、他方のフィールドにおいて画素の電位を一定電位にそろえる消去信号を書き込むため、各画素の光学応答時間を前フレームの表示画像によらず均一化し、「ゴースト」を除去することができる。
【００２３】
さらに、本来の画像信号レベルを消去信号のレベルからのレベル差が大きくなる方向に変換する機能を有し、この変換された信号を表示に用いるため、液晶の応答速度が加速され、液晶パネルの輝度が向上する。
【００２４】
また、一般的なプログレッシブ駆動を行いながら、消去信号とインターレース方式の画像信号とをライン毎に交互にソース信号線に出力することにより、従来のアクティブマトリックス型液晶表示装置の回路構成に大きな変更を加えることなく、消去信号の書き込みを行うことができる。
【００２５】
さらに、水平駆動回路を、画像信号供給源および消去信号供給源に切換え可能に接続し、画像信号供給源および消去信号供給線への接続を１ライン毎に交互に切換えて消去信号の書き込みを行うことにより、簡易な回路構成によって消去信号の書き込みを行うことができる。
【００２６】
また、消去信号を黒階調信号とすることにより、消去信号を書き込んだ時の液晶の状態を素早く安定させて、「ゴースト」の除去効果を一層高めることができる。
【００２７】
また、消去信号を中間調信号とすれば、消去中のラインの輝度を画面の平均輝度に相当する輝度として、消去信号を書き込むことによる画面輝度の低下を防止することができる。
【００２８】
さらに、画像表示部を行方向に複数の表示領域に分割して照明可能な光源を備え、分割された各表示領域の走査終了から遅延した所定期間だけ照明することにより、「ゴースト」を一層効果的に除去し、併せて「動きぼけ」も防止することができる。
【００２９】
表示領域毎に分割して点灯可能な複数のランプを有する光源を用いることにより、従来の液晶表示装置と同様の構成によって分割照明を行うことができる。
【００３０】
また、表示領域毎に分割して開閉可能なシャッタを備える光源を用いることにより、ランプを順次点灯するよりも光源の動作を高速化することができる。
【発明を実施するための最良の形態】
【００３１】
実施の形態１
すでに述べたように、従来の液晶表示装置では、たとえば所望の透過率が５５％である場合、すなわち透過率５５％の表示を指示する画像信号が入力された場合には、一定時間が経過し液晶の応答がほぼ完了した状態で透過率が５５％になるような電圧Ｖ55を液晶に印加していた。このため、図１に細線Ｓ0で示したように、１フレームの間では液晶の透過率は５５％に達せず、これが動画表示品質の低下を引き起こしていた。
【００３２】
そこで本実施の形態では、１フレーム期間後に液晶が所望の透過率となる電圧を、現フレームにて液晶に印加する。たとえば、図１に太線Ｓ1で示すように、所望の透過率が５５％である場合に、液晶の応答がほぼ完了した状態で透過率が９０％となる電圧Ｖ90を印加する。電圧Ｖ55を印加する場合にくらべ液晶の応答がより高速になり、１フレーム期間経過後の液晶の透過率をほぼ５５％にすることができる。
【００３３】
このように、本実施の形態では、現フレームにて印加する電圧を、１フレーム期間後に液晶が所望の透過率となる電圧とするため、物体の残像が知覚されたり、物体の輪郭がボケて表示されることがなく、動画表示品質の良好な液晶表示装置を得ることができる。
【００３４】
実施の形態２
図２に、現フレームにおける印加電圧と液晶の透過率変化を示した。
【００３５】
図２の細線Ｓ2から、前フレームの透過率が２０％である場合、現フレームでは、液晶の応答がほぼ完了した状態で透過率が８０％となるような電圧Ｖ80を印加することにより、１フレーム期間後に透過率５５％の表示が得られることがわかる。同様に、曲線Ｓ1，Ｓ3，Ｓ4およびＳ5から明らかなように、前フレームの透過率が１０％，５０％，６０％および７０％の場合には、それぞれ電圧Ｖ90，Ｖ60，Ｖ50およびＶ40を印加することにより、１フレーム期間後に所望の透過率５５％が得られることがわかる。
【００３６】
このように、１フレーム期間後に所望の透過率となる電圧は、前フレームの透過率から一意に定めることができる。したがって、前フレームの透過率および現フレームにおいて所望する透過率をそれぞれ行と列とし、行と列との交点に液晶に印加するべき電圧を配置した二次元の表（テーブル）を用いることにより、１フレーム期間後に液晶を所望の透過率とすることができ、動画表示品質の良好な液晶表示装置を得ることができる。
【００３７】
図３に示すように、通常の液晶表示装置では、各画素の所望の透過率を指定する画像信号がソースドライバ８に入力され、ソースドライバ８が液晶に印加する電圧ａｖを出力している。したがって、前記の二次元の表（テーブル）は、実際には、前フレームの画像信号および現フレームの画像信号を行および列とし、交点に修正後の画像信号を配置した信号変換用テーブルでよい。信号変換用テーブルにて修正した画像信号ｏｄをソースドライバ８に入力することにより、ソースドライバ８から修正後の電圧、すなわち１フレーム期間後に液晶が所望の透過率となる電圧が出力される。
【００３８】
このように、前フレームの画像信号および現フレームの画像信号をそれぞれ行および列とし、行と列との交点に修正後の画像信号を配置した二次元の表（テーブル）用い、修正後の画像信号にもとづいて液晶に印加する電圧を決定することにより、１フレーム期間後に液晶を所望の透過率とすることができ、動画表示品質の良好な液晶表示装置を得ることができる。
【００３９】
実施の形態３
図４に本実施の形態の液晶表示装置の構成を示す。
【００４０】
図４に示すように、本実施の形態における液晶表示装置２は、画像信号処理回路３４、垂直駆動回路２０、水平駆動回路３０および表示パネル２２からなる。表示パネル２２内に画像表示部２４が形成され、画像表示部２４はバックライトによって背後から照明されている。画像表示部２４には、画素がマトリックス状に配列され、各画素に薄膜トランジスタ（以下、ＴＦＴという）などのスイッチング素子が接続されている。なお、図において、画素およびＴＦＴは省略している。垂直駆動回路２０は、各ラインのＴＦＴのゲート電極にゲート配線を介して接続したゲートドライバ１０と、ゲートドライバ１０にタイミング信号を送る制御回路１２を備え、外部から供給される同期信号に基づいて、各ＴＦＴをラインごとに駆動しながら一画面の走査を行う。水平駆動回路３０は、制御回路１２からタイミング信号を受信して駆動するソースドライバ８を備え、垂直駆動回路２０によって選択されたラインの画素に信号を書き込む。
【００４１】
本実施の形態の液晶表示装置において、画像信号処理回路３４は、フレームメモリ４、演算器６およびパラメータメモリ３２を備えている。パラメータメモリ３２には、前記実施の形態２にて説明した二次元の表（信号変換用テーブル）が格納されている。図５に信号変換用テーブルの例を示す。信号変換用テーブル３２ａにおいては、行として前フレームの画像信号ｊｄが、列として現フレームで表示する画像信号ｉｄが、それぞれ透過率を２５６段階の階調として表わしてある。さらに、行と列との交点には、出力データｏｄとして現フレームでソースドライバ８に供給する画像信号が、やはり２５６階調のデータとして配置されている。
【００４２】
本実施の形態の液晶表示装置では、信号源からの現フレーム画像信号ｉｄが、演算器６およびフレームメモリ４へと供給される。フレームメモリ４は現フレーム画像信号ｉｄを記憶し、記憶した現フレーム画像信号は、１フレーム期間経過後に前フレーム画像信号ｊｄとして読み出される。演算器６は読み出した前フレーム画像信号ｊｄおよび現フレーム画像信号ｉｄを、パラメータメモリ３２の信号変換用テーブル３２ａの行および列に適用し、交点にある出力データを画像信号ｏｄとして出力する。
【００４３】
信号変換用テーブル３２ａの各出力データは、前フレーム画像信号の透過率から現フレーム画像信号の透過率に１フレーム内で変化するのに必要な電圧に対応する階調データとして決定されている。たとえば、前フレーム画像信号の階調が“６４”であり、現フレーム画像信号の階調が“１２８”である場合、両者のあいだの差を大きくするよう、階調“１２８”よりも大きい値、たとえば階調“１４４”を出力データとする。階調“１４４”に対応した電圧が液晶に印加され、液晶の応答が加速されるため、１フレーム期間経過後に所望の階調“１２８”の表示を得ることができる。
【００４４】
実施の形態４
前記実施の形態３では、信号源から供給される現フレーム画像信号の階調数にあわせた信号変換用テーブルを用い、画像信号の変換を行なっていた。すなわち、２５６階調ある前フレーム画像信号ｊｄおよび現フレーム画像信号ｉｄをそれぞれ行、列とした“２５６×２５６”の信号変換用テーブルを用いていた。
【００４５】
一方、本実施の形態では、図６に示すように、信号変換用テーブル３２ａを、２５６階調ある前フレーム画像信号および現フレーム画像信号のうちのそれぞれ８階調を行および列とする“８×８”のテーブルとし、行と列との交点に２５６階調の出力データを備えた。
【００４６】
したがって、６４キロバイト必要であった信号変換用テーブルの大きさが、約１／１０００の６４バイトへと削減され、信号変換用テーブルを格納するためのパラメータメモリの容量を小さくすることができ、またパラメータメモリと演算器とを接続するデータ線の本数を、大幅に削減することができる。
【００４７】
このとき、前フレーム画像信号ｊｄおよび現フレーム画像信号ｉｄが２５６階調であるのに対し、信号変換用テーブル３２ａは８階調の前フレーム画像信号ｃ（ｊｄ）および現フレーム画像信号ｃ（ｉｄ）に対応した出力データしか備えていない。そこで本実施の形態では、演算器６にて二次元の線形補間を行なうことにより、この８階調の前フレーム画像信号および現フレーム画像信号に対応した出力データから、２５６階調の前フレーム画像信号および現フレーム画像信号に対応した出力データを算出する。
【００４８】
線形補間の手法を、図７を用いて説明する。フレームメモリ４から読みだした前フレーム画像信号ｊｄの階調が“７２”であり、８階調の階調“２”と階調“３”のあいだにあるとする。一方、信号源から供給された現フレーム画像信号ｉｄの階調が“１４８”であり、８階調の階調“４”と階調“５”のあいだにあるとする。この場合、画像信号（ｊｄ，ｉｄ）＝（７２，１４８）の図６の信号変換用テーブル３２ａ上における位置は、図７に示すとおりとなる。すなわち、画像信号（ｊｄ，ｉｄ）＝（７２，１４８）は、［ｃ（ｊｄ），ｃ（ｉｄ）］＝（２，４），（２，５），（３，４），（３，５）の４点によって作られる矩形の内側にあり、さらに［ｃ（ｊｄ），ｃ（ｉｄ）］＝（２，４），（２，５），（３，５）の３点によって作られる三角形の内側にある。
【００４９】
そこで、演算器６は、これら３点と画像信号（ｊｄ，ｉｄ）とのあいだの距離Ｌ1，Ｌ2，Ｌ3を算出するとともに、信号変換用テーブル３２ａから、これら３点の出力データｏｄ（２，４），ｏｄ（２，５），ｏｄ（３，５）を読み出す。そして、読みだした出力データｏｄ（２，４），ｏｄ（２，５），ｏｄ（３，５）との差が、距離Ｌ1，Ｌ2，Ｌ3に比例するように最終的な出力データｏｄを決定する。
【００５０】
このように、本実施の形態では、信号変換用テーブル３２ａを、２５６階調ある前フレーム画像信号および現フレーム画像信号のうちのそれぞれ８階調に対応して構成し、演算器における線形補間によって２５６階調の前フレーム画像信号および現フレーム画像信号に対応した出力データを出力するように構成した。したがって、信号変換用テーブルを格納するためのパラメータメモリの容量を小さくすることができ、またパラメータメモリと演算器とを接続するデータ線の本数を、大幅に削減することが可能である。
【００５１】
なお、本実施の形態では、信号変換用テーブル３２ａを、８階調の前フレーム画像信号および現フレーム画像信号に対応させて設けた例を示したが、１６階調や３２階調など他の階調数としてももちろんよい。また、信号変換用テーブル３２ａにおける前フレーム画像信号の階調数と現フレーム画像信号の階調数は、必ずしも同数である必要はない。
【００５２】
実施の形態５
前記実施の形態においては、信号源から供給された現フレームの画像信号をそのままフレームメモリ４に記憶し、１フレーム期間経過後に前フレーム画像信号ｊｄとして読み出していた。すなわち、２５６階調の画像信号をフレームメモリ４に記憶していた。
【００５３】
一方、本実施の形態では、２５６階調の現フレーム画像信号ｉｄを８階調の現フレーム画像信号ｃ（ｉｄ）へと変換し、フレームメモリ４に記憶するようにした。階調数の変換は、画像信号の上位数ビットを抽出することにより容易に実現可能であり、２５６階調の現フレーム画像信号ｉｄを８階調の現フレーム画像信号ｃ（ｉｄ）へと変換する場合には、８ビット（すなわち２５６階調）の現フレーム画像信号ｉｄから、上位３ビットを抽出すればよい。
【００５４】
記憶した変換後の現フレーム画像信号ｃ（ｉｄ）は、１フレーム期間経過後に前フレーム画像信号ｃ（ｊｄ）として読み出される。演算器６は読み出した前フレーム画像信号ｃ（ｊｄ）および現フレーム画像信号ｉｄを、図６の信号変換用テーブル３２ａの行および列に適用し、交点にある出力データを画像信号ｏｄとして出力する。
【００５５】
このとき、現フレーム画像信号ｉｄが２５６階調であるのに対し、図６の信号変換用テーブル３２ａは、８階調の現フレーム画像信号に対応した出力データしか備えていない。したがって、１次元の線形補間をおこなって、８階調の現フレーム画像信号ｃ（ｉｄ）に対応した出力データから、２５６階調の現フレーム画像信号ｉｄに対応した出力データを算出する。すなわち、たとえば現フレーム画像信号ｉｄの階調が“１４４”であり、８階調の現フレーム画像信号ｃ（ｉｄ）の階調“４”と階調“５”の中間に相当する場合には、信号変換用テーブル３２ａの階調“４”および階調“５”に対応する２つの出力データの中間値を、階調“１４４”に対応する出力データとすればよい。
【００５６】
以上述べたように、本実施の形態では、ビット数変換後の現フレーム画像信号をフレームメモリに記憶するようにした。したがって、フレームメモリに必要なメモリ量およびフレームメモリと演算器とを接続するデータ線の本数を、大幅に削減することができ、画像信号処理回路の回路規模を小さくすることができる。る。
【００５７】
また、信号変換用テーブルを、２５６階調ある前フレーム画像信号および現フレーム画像信号のうちのそれぞれ８階調に対応した８×８のテーブルとして構成した。したがって、信号変換用テーブルを格納するためのパラメータメモリの容量、およびパラメータメモリと演算器とを接続するデータ線の本数を大幅に削減することができ、画像信号処理回路の回路規模を小さくすることができる。
【００５８】
なお、信号変換用テーブルの行数と列数とが同一である必要はなく、たとえば、８階調の前フレーム画像信号と２５６階調の現フレーム画像信号とに対応して、８行２５６列の信号変換用テーブルとしてもよい。この場合、演算器６にて線形補間を行なう必要がなくなる。したがって、パラメータメモリのサイズはやや大きくなるものの、演算器の演算負荷を低減することが可能である。
【００５９】
また、フレームメモリに記憶する画像信号の階調数と、信号変換用テーブルにおける前フレーム画像信号の階調数とが異なっていてもよい。すなわち、信号変換用テーブル３２ａを８階調の前フレーム画像信号に対応して構成する一方、フレームメモリに記憶する画像信号を４ビット（すなわち１６階調）などのより多い階調数としてもよい。ただし、この場合には、実施の形態４と同様の２次元の線形補間が必要になる。
【００６０】
実施の形態６
前記実施の形態５では、信号変換用テーブル３２ａを、２５６階調ある前フレーム画像信号および現フレーム画像信号のうちのそれぞれ８階調に対応して構成し、演算器における線形補間によって２５６階調の前フレーム画像信号および現フレーム画像信号に対応した出力データを出力するように構成した。
【００６１】
一方、本実施の形態では、２５６階調ある前フレーム画像信号および現フレーム画像信号のうちのそれぞれ８階調に対応して信号変換用テーブル３２ａおよび信号変換用補間テーブル３２ｂを設け、信号変換用テーブル３２ａの出力データｏｄおよび信号変換用補間テーブル３２ｂの補間用差分データΔｏｄの両者から、２５６階調の現フレーム画像信号に対応した出力データを出力するように構成した。
【００６２】
８階調へと変換された現フレーム画像信号ｃ（ｉｄ）がフレームメモリ４に記憶され、１フレーム期間経過後に前フレーム画像信号ｃ（ｊｄ）として読み出される。演算器６は読み出した前フレーム画像信号ｃ（ｊｄ）および現フレーム画像信号ｉｄを、図６の信号変換用テーブル３２ａの行および列に適用し、交点にある出力データを画像信号ｏｄとして出力する。
【００６３】
しかし、このとき、現フレーム画像信号ｉｄが２５６階調であるのに対し、図６の信号変換用テーブル３２ａは、８階調の現フレーム画像信号に対応した出力データしか備えていない。したがって、図８に示す信号変換用補間テーブル３２ｂを使用して、２５６階調の現フレーム画像信号ｉｄに対応した出力データを算出する。
【００６４】
たとえば、現フレーム画像信号ｉｄの階調が“１４４”であり、８階調の現フレーム画像信号ｃ（ｉｄ）の階調“４”と階調“５”の中間に相当する場合には、信号変換用テーブル３２ａおよび信号変換用補間テーブル３２ｂから、階調“４”に対応する出力データｏｄおよび補間用差分データΔｏｄを読み出す。そして、２５６階調における階調“１４４”と８階調における階調“４”とのあいだの差を算出し、補間用差分データΔｏｄに乗算する。乗算結果が出力データｏｄに加算され、最終的な出力データとしてソースドライバ８へと供給される。
【００６５】
このように本実施の形態では、前フレーム画像信号および現フレーム画像信号のうちのそれぞれ８階調に対応して出力データ、補間用差分データをそれぞれ備えた信号変換用テーブルと信号変換用補間テーブルを設け、補間用差分データを使用して出力データの補間を行なうように構成した。したがって、信号変換用テーブルおよび信号変換用補間テーブルを格納するパラメータメモリのサイズを大幅に削減できるとともに、パラメータメモリと演算器とを接続するデータ線の本数を削減し回路規模を小さくすることが可能である。また、演算器における補間の計算が単純化され計算量が減少するため、さらに回路規模を縮小することが可能である。
【００６６】
また、画像信号のビット長を変換しデータ量を削減したうえでフレームメモリに記憶するため、フレームメモリのサイズを小さくすることが可能になり、また、フレームメモリと比較回路とを接続するデータ線の本数を削減して回路規模を小さくすることができる。
【００６７】
実施の形態７
液晶表示装置では、周温の変化や表示パネルの背面に配置されたバックライトの発熱により、液晶の応答特性、すなわち透過率の立ち上りや立ち下りの特性が変化する。そこで本実施の形態の液晶表示装置では、温度によって液晶への印加電圧を変えることを特徴とする。
【００６８】
図４に示すように、本実施の形態の液晶表示装置は、温度センサ２６および温度検出回路２８を備えている。また、パラメータメモリ３２内には、温度条件に応じた複数の信号変換用テーブル３２ａを備えている。さらに、必要に応じ複数の信号変換用補間テーブル３２ｂを備えている。
【００６９】
温度検出回路２８は、温度センサ２６からの信号によって液晶の温度を検出し、演算器６へと伝達する。演算器６はこの温度情報にもとづいて、複数の信号変換用テーブル３２ａ（および信号変換用補間テーブル３２ｂ）のうち、いずれを使用するかを選択する。
【００７０】
一般に液晶は低温時には応答が遅く、高温時には応答が速くなる。したがって、たとえば通常時用の信号変換用テーブル３２ａのほかに、現フレーム画像信号と前フレーム画像信号とのあいだの差をより強調する低温時用の信号変換用テーブル３２ａと、現フレーム画像信号と前フレーム画像信号とのあいだの差をあまり強調していない高温時用の信号変換用テーブル３２ａとを用意しておき、温度検出回路からの情報にもとづいてこれらのいずれかを選択して使用するとよい。周温やバックライトの熱などに左右されることなく、常に、１フレーム期間後に液晶を所望の透過率とすることができ、動画表示品質の良好な液晶表示装置を得ることができる。
【００７１】
また、複数の信号変換用テーブル３２ａを設けるかわりに、標準温度における信号変換用テーブル３２ａおよびこの信号変換用テーブル３２ａの各出力データについての温度依存性を記憶しておき、この温度依存性および温度センサで検知した液晶の温度から、信号変換用テーブル３２ａの出力データを補正してもよい。
【００７２】
なお、温度センサ２６としては、表示パネルの基板表面に熱電対を貼り付けておけばよい。また、液晶の抵抗や容量は温度によって変化する。したがって、表示パネルに表示に使用しないダミーの電極を設けておき、液晶の抵抗や容量を観測しておくことにより、温度センサ２６として使用することもできる。
【００７３】
実施の形態８
本実施の形態においては、さらに「ゴースト」を抑制し、また「動きぼけ」をも併せて抑制するため、各フレームにおいて画像信号の書き込みから一定の遅延時間が経過した後にバックライトの点灯を行う。
【００７４】
図４に示すように、本実施の形態の液晶表示装置においては、表示パネル２２の画像表示部２４が、画素の行方向に８つの表示ブロックＢ１〜Ｂ８に分割されており、各表示ブロック毎にランプ３８が配置されている。ランプ３８は、制御回路１２からのタイミング信号にしたがい、バックライト点灯回路４２によって順次点灯される。また、図９の側面断面図に示すように、バックライト３６の各ランプ３８は、隣の表示ブロックに光が漏れないように、遮光壁４０によって互いに隔てられている。なお、ランプ３８を各表示ブロック毎に複数本設けて輝度アップを図ることができる。
【００７５】
図１０は、バックライトの点灯タイミングを示すタイミング図である。画像表示部２４の走査線が１行目から順に走査され、走査線に接続された画素の液晶へと電圧が印加される。図示の例では、画像表示部２４は行方向に８つの表示ブロックＢ１〜Ｂ８に分けられており、１つの表示ブロックは１フレーム期間の１／８である約２ｍｓｅｃの間に走査される。
【００７６】
表示ブロックＢ１に注目して説明する。表示ブロックＢ１を照明するランプ＃１は、表示ブロックＢ１が走査期間ｔ1中に走査された後、５ブロック分の走査期間に等しい遅延期間ｔ2を経過後、２ブロック分の走査期間に等しい点灯期間ｔ3の間点灯する。表示ブロックＢ２〜Ｂ８を照明するランプ＃２〜＃８は、それぞれ１ブロック分の走査期間ずつ遅れてランプ＃１と同様の動作を行う。
【００７７】
このように、バックライトのランプ点灯期間が制限されている結果、表示パネル２２がインパルス型の発光状態となり、「動きぼけ」のないシャープな画像が得られる。
【００７８】
また、画素に白黒を交互に表示させた場合の液晶の光学応答を図１１に示したが、ここから明らかなように、遅延期間ｔ2をおいてランプ＃１を点灯させているため、液晶の光学応答の立ち上がり（および立ち下がり）期間にはランプが点灯していない。このため、液晶の透過率の遷移状態が観視者に観察されることがなく、充分に応答を完了し所望の透過率に達した状態のみが観視者に観察される。したがって、前フレームの液晶の状態が「ゴースト」として観察されることがなく、動画の表示品質がさらに向上する。
【００７９】
なお、実施例において、各表示ブロックのランプの点灯時間は約４ｍｓｅｃであり、バックライトの点灯時間比率は約１／４である。バックライトの点灯時間比率は、前記遅延期間ｔ2を変化させることによって調節することができ、動画表示と画面輝度のバランスを考慮して適宜設定すればよい。動画表示の観点からは、液晶の光学応答が安定してから発光するように、点灯時間比率を小さく（すなわちｔ2を長く、ｔ3を短く）設定する方が好ましく、一方、画面輝度の観点からは点灯時間比率を大きく（すなわちｔ2を短く、ｔ3を長く）設定する方が好ましい。
【００８０】
実施の形態９
前述のとおり、ランプの消灯期間（走査期間ｔ1と遅延期間ｔ2の和）と点灯期間ｔ3との比率を変えることにより表示パネルの輝度を制御することが可能であるが、さらに、ランプに流す電流値を変えることによっても、表示パネルの輝度を制御することが可能である。
【００８１】
また、図１２に示すように、ランプの点灯期間ｔ3をさらに時分割し、数百Ｈｚ好ましくは２００〜３００Ｈｚで駆動されている蛍光ランプにおいて、点灯時間Ｔ3と消灯時間Ｔ2との比を制御することにより、バックライトすなわち表示パネルの輝度を制御することが可能である。したがって、ランプの点灯期間ｔ3を変化させた場合でも、点灯時間Ｔ3と消灯時間Ｔ2の比を制御することにより、バックライトすなわち表示パネルの輝度を同一にすることが可能である。
【００８２】
さらに、各ランプのあいだに輝度のばらつきがある場合や、各表示ブロックのあいだに輝度のばらつきがある場合には、図１３に示すように、各ランプの点灯期間ｔ3を適宜調整することにより、輝度を均一に制御することができる。図１３は、ランプ＃１の点灯期間ｔ3を短くした例を示す。
【００８３】
また、各ランプに流す電流値を適宜調整し、輝度の低い表示ブロックのランプに他の表示ブロックのランプよりも大きい電流を流すようにしても、表示パネルの輝度を均一とすることができる。
【００８４】
また、図１２にて説明したランプの点灯期間ｔ3をさらに時分割する例においても、点灯時間Ｔ3と消灯時間Ｔ2との比を各ランプごとに適宜設定することにより、表示パネルの輝度を均一に制御することができる。
【００８５】
実施の形態１０
前述の実施の形態においては、各表示ブロックごとにランプ３８を設け、これら各ランプによって各表示ブロックを分割して照明する例を説明したが、本実施の形態においては、バックライトの前方に分割して開閉可能なシャッタを設けることにより、各表示ブロックを分割して照明する。
【００８６】
図１４は、本実施の形態にかかる液晶表示装置を示す模式図である。表示パネル２２とバックライト３６の間にシャッタ４４が設けられている。シャッタ４４は、図４に示した液晶パネル２２の各表示ブロックＢ１〜Ｂ８毎に分割して開閉でき、外部からの同期信号にしたがって、シャッタ制御回路４６によって順次開閉される。ブロック毎の開閉タイミングについては、図１０および実施の形態８におけるランプ３８の点灯タイミングと同様である。
【００８７】
シャッタ４４には、たとえば、階調表示には適さないが応答速度の速い強誘電液晶パネルなどを用いることができる。表示ブロック毎に分割して開閉をさせるには、強誘電液晶パネルの電極を表示ブロックごとに分割して形成すればよい。
【００８８】
なお、本実施の形態においては、液晶パネル２２がバックライトの光を透過させて表示を行う透過型について説明したが、液晶パネル２２が外光の反射により表示を行う反射型液晶パネルである場合には、液晶パネル２２の手前（観視者側）にシャッタ４４を設けて同様の動作をさせればよい。
【００８９】
実施の形態１１
通常、テレビジョン放送やＶＴＲなどの再生信号は、走査線を一本飛ばしに走査していくインターレースと呼ばれる信号方式である。すなわち、偶数番目のフレームにおいては偶数番目の走査線が順次選択され、奇数番目のフレームにおいては奇数番目の走査線が順次選択され、結果として各画素には２フレームに１回だけ画像信号が書き込まれることになる。このように、インターレース方式では２フレームで一枚の画像を表示していることになるため、各フレームをそれぞれフィールドと呼称し、２フィールドをまとめて１フレームと呼ぶ。
【００９０】
本実施の形態では、インターレース方式の画像信号を表示する液晶表示装置において、各画素に１フレーム（すなわち、２フィールド）に１回画像信号を書き込むとともに、１フレームに１回消去信号を書き込むことを特徴とする。つまり、偶数番目のフィールド（以下、偶数フィールドという）では、偶数ラインの画素に画像信号を書き込む一方、奇数ラインの画素に各画素の電位をそろえるための消去信号を書き込み、奇数番目のフィールド（以下、奇数フィールドという）では、奇数ラインの画素に画像信号を書き込む一方、偶数ラインの画素に消去信号を書き込む。
【００９１】
さらに、表示すべき階調に対応した本来の画像信号を、消去信号の階調との間の階調差が大きくなる方向に変換する機能を有し、この変換された画像信号をソースドライバへと供給する。
【００９２】
画像信号の書き込みを行う前に、すべての画素に同階調の消去信号を書きこんで、それ以前のフレームにおける表示の影響を消去するため、各画素の光学応答時間を前フレームの表示画像によらず均一化することができる。
【００９３】
図１５は、本実施の形態にかかる液晶表示装置を示すブロック図である。本実施の形態の液晶表示装置２は、消去信号と画像信号処理回路３４からの画像信号ｏｄとが入力され、これらのいずれかをソースドライバ８へと出力する信号切換回路１８を備えている。消去信号は、たとえば、画像信号の最大電圧レベル以上の電圧レベルを有する黒表示信号とする。一般に、ＴＮ液晶の応答速度は、高い電圧を印加された場合に速いため、消去信号を電圧レベルの高い黒表示信号とすれば前画像の消去に有利であるからである。また、前の電圧印加の状態が黒レベルであれば、コントラストの低下も抑制されるという利点もある。
【００９４】
すでに述べたように、液晶表示装置２は、外部から供給されたインターレース方式の画像信号を表示するが、インターレース方式の画像信号では、１フレームが偶数フィールドと奇数フィールドの２フィールドによって構成され、偶数フィールドの信号には偶数ラインの画素に書き込む画像情報が含まれ、奇数フィールドの信号には奇数ラインの画素に書き込む画像情報が含まれている。したがって、一般的な液晶表示装置によってインターレース方式の画像信号を表示する場合には、偶数フィールドには偶数ラインのみを走査し、奇数フィールドには奇数ラインのみを走査する飛び越し走査を行う。
【００９５】
しかし、本実施の形態の液晶表示装置２は、偶数フィールドおよび奇数フィールドのいずれにおいても全てのラインを線順次に走査する順次走査を行い、１ライン毎に画像信号の書き込みと消去信号の書き込みを交互に行う。画像信号および消去信号の交互書き込みは、信号切換回路１８が、１ライン毎に画像信号と消去信号とを、交互に切り換えることにより行うことができる。
【００９６】
図１６は、液晶表示装置２の動作の概略を示すタイミング図である。図１６の上段に示すように、偶数フィールドにおいては、偶数（＝２ｎ）ラインが選択された時は画像信号を書き込む一方、奇数（＝２ｎ＋１）ラインが選択された時は消去信号を書き込む。また、奇数フィールドにおいては、奇数ラインが選択された時は画像信号を書き込む一方、偶数ラインが選択された時は消去信号を書き込む。
【００９７】
こうして画像信号および消去信号を書き込むことにより、液晶の光学応答は図１６の中段に示すようになる。２ｎ行目にある偶数ラインの液晶光学応答は、偶数フィールドにおいて書き込まれた画像信号に応じて階調が変化し、続く奇数フィールドにおいて書き込まれた画像信号が消去されて黒表示となり、この動作をフィールド毎に交互に繰り返す。一方、（２ｎ＋１）行目にある奇数ラインの液晶光学応答は、これとは逆に、偶数フィールドにおいて前の画像消去信号が消去されて黒表示となり、続く奇数フィールドにおいて書き込まれた画像信号に応じて階調が変化する。
【００９８】
このように、画像信号の書き込みを行う前に、画像情報を消去して均一な黒表示とするため、各画素の光学応答時間を前フレームの表示画像によらず均一化することができる。たとえば、前フレームで黒表示を行っていた画素と白表示を行っていた画素を、同時に別の階調に書き換えた場合であっても、いずれの画素も一旦黒表示となった後に、次の階調信号が書き込まれるため、液晶応答の相違による輝度差をほとんど生じない。したがって、「ゴースト」を除去することができる。
【００９９】
本実施の形態においては、信号切換回路１８によって画像信号と消去信号をライン毎に切換えて消去信号の書き込みを行ったが、消去信号の書き込み方法はこれに限らない。たとえば、画像信号をソースドライバに供給する前に適当なプログラムによりデータ処理したり、フレーム数ずつメモリに蓄積するなどして、消去信号を合成した後にソースドライバに供給することにより、消去信号の書き込みを行ってもよい。
【０１００】
さらに「ゴースト」を抑制し、また「動きぼけ」をも併せて抑制するため、前記実施の形態８と同様に、各フィールドにおいて画像信号の書き込みから一定の遅延時間が経過した後にバックライトの点灯を行うようにするとよい。
【０１０１】
図１５に示すように、表示パネル２２の画像表示部２４を、画素の行方向にたとえば８つの表示ブロックＢ１〜Ｂ８に分割し、各表示ブロック毎にランプ３８を配置する。ランプ３８は、制御回路１２からのタイミング信号にしたがい、バックライト点灯回路４２によって順次点灯する。そして、各表示ブロックのランプは、その表示ブロックの走査終了後、所定の遅延期間が経過するのを待ってから点灯するようにされている。
【０１０２】
したがって、バックライトの点灯タイミングは、図１６の下段に示すとおりとなり、液晶が充分に光学応答を終えてから点灯するため、液晶の透過率の遷移状態が観視者に観察されることがない。また、バックライトのランプ点灯期間が短時間に制限されている結果、表示パネル２２がインパルス型の発光状態となり、「動きぼけ」のないシャープな画像が得られる。
【０１０３】
このように、消去信号の印加とバックライトの分割点灯とを行なうことにより、画像信号の書き込み前に全画素の電位が消去信号の電位にそろえられ、画像信号の書き込み後、液晶の応答がある程度安定した期間にのみバックライトが点灯するため、「ゴースト」が除去される。また、バックライトの点灯期間が制限されている結果、表示パネル２２がインパルス型の発光状態となり、「動きぼけ」のないシャープな画像が得られる。
【０１０４】
なお、消去信号は各画素の透過率をそろえることが目的であるから、白階調であっても、黒階調であっても、また中間調であってもかまわない。しかし、「ゴースト」除去の観点からは、消去信号は黒階調信号であることが好ましく、その電圧Ｖｈはできるだけ高い方が好ましい。一般的なノーマリホワイト駆動のＴＮ型液晶表示素子の場合、白階調から黒階調への変化の方が、その逆の変化に比べて液晶の応答速度が速く、また、液晶表示素子に印加される電圧が高い方が応答速度は速くなる。そして、液晶の応答が速い程、消去信号を書き込んだ時に液晶の状態が素早く安定する。したがって、消去信号は黒階調信号であることが好ましく、その電圧Ｖｈはできるだけ高い方が好ましい。また、液晶中の不純物による焼き付き対策として、各画素に印加される消去信号の極性は表示領域毎に、あるいはフレーム毎に反転させることが好ましい。
【０１０５】
さらに、消去信号として黒階調信号Ｖｈを印加した後、画像信号を印加する場合、図１７の曲線ａに示すように、従来と同じように階調信号から印加電圧を決定すると、液晶の応答が遅れ、所望のパネル透過率に達しないため、画面輝度が低下してしまう。
【０１０６】
液晶の応答特性は、図１８に示すように、本来の画像信号に対応した印加電圧Ｖ１では、期待する透過率Ｙ１に達するためには数フレーム分の時間が必要である。しかし、消去信号Ｖｈとの差がより大きくなるように補正した補正電圧Ｖ２を印加すると、１フレーム分の時間１６ｍｓｅｃ以内で、所望の透過率Ｙ１に達する。したがって、黒階調信号の書き込みで全画面の消去を行ってゴーストを除去する場合には、静止画状態で透過率がＹ１に達する電圧Ｖ１ではなく、１６ｍｓｅｃ後に液晶の透過率が黒状態から所望の透過率Ｙ１に達する補正電圧Ｖ２を選定すれば、パネル輝度は改善される。
【０１０７】
液晶の特性は、図１８に示すように、より大きな電圧変化を加えた方が液晶の応答が速くなる特性があるため、たとえば図１８の画像信号Ｖ１の代わりに、１６ｍｓｅｃで画像信号Ｖ１印加時の安定状態透過率Ｙ１に達するような電圧Ｖ２とするように画像信号の変換を行う。この補正電圧Ｖ２を黒階調信号の書き込み後に印加することにより、図１７の曲線ｃに示すように液晶の応答が加速され、画面輝度を向上することができる。
【０１０８】
補正電圧Ｖ２を表示パネルに印加するためには、図３に示すように、信号変換用テーブルを用いて画像信号を補正し、ソースドライバ８へと入力するようにすればよい。図３において、入力された画像信号ｉｄから表示パネル２２に印加する電圧ａｖを決定する際に、まず信号変換用テーブルを用いて、液晶パネルに印加する電圧が図１８の印加電圧Ｖ１から補正電圧Ｖ２になるように画像信号を補正し、補正後の画像信号ｏｄにもとづいてソースドライバ８が液晶パネル２２に電圧を割り当てる。その結果、液晶表示装置２のソースドライバ８に内蔵される階調電圧発生回路の構成を変更することなく、入力画像信号に対応して液晶パネル２２に印加する電圧を、図１８のＶ１からＶ２に補正することが可能となる。また、このように画像信号を補正することにより、外部からの切り換え信号で、信号変換用テーブルの適用・非適用、すなわち信号変換の実施と非実施を切換えることができる。
【０１０９】
信号変換用テーブルの例を図１９に示しておく。本実施の形態においては、前フィールドの画像信号は常に黒、すなわち階調“０”であるから、信号変換用テーブル３２ａは、図５あるいは図６に示した信号変換用テーブルのうち、前フレーム画像信号の階調“０”に対応する一行だけを抽出し、使用すればよい。また、図１５にはフレームメモリ４が図示されているが、消去信号の印加を行なう場合には前フィールドの画像信号は消去信号であって常に一定であるから、フレームメモリ４を省略することが可能である。
【０１１０】
なお、インターレース方式の液晶表示装置において、本来は非選択となるラインの画素に消去信号を印加する本実施の形態の液晶表示装置は、従来のプログレッシブ駆動の液晶表示装置に、消去信号の信号源および消去信号と画像信号とを切り換える信号切換回路を付加することにより容易に実現可能である。また、逆に、インターレース駆動を行う液晶表示装置と同様の回路構成を用いて、垂直シフトレジスタに与えるスタートパルスの周期を半分として、偶数行走査と奇数行走査のスタートパルスのタイミングを１ライン分ずらすことにより擬似的にプログレッシブ駆動を行なうとともに、画像信号と消去信号とを交互に印加するようにしてもよい。また、バックライトの分割点灯を行なう液晶表示装置は、従来の液晶表示装置においてランプの本数を適当に設定し、これらを個別に点消灯させることのできるバックライト点灯回路を設けることにより、容易に実現が可能である。
【図面の簡単な説明】
【０１１１】
【図１】従来の液晶表示装置および本発明の液晶表示装置について、液晶への印加電圧と透過率との関係を示した図である。
【図２】数種の前フィールドの透過率に対し、現フィールドでの印加電圧と１フィールド期間経過後の透過率との関係を示した図である。
【図３】本発明による画像信号の補正を説明するためのブロック図である。
【図４】本発明による液晶表示装置を示したブロック図である。
【図５】本発明の液晶表示装置における信号変換用テーブルの例である。
【図６】本発明の液晶表示装置における信号変換用テーブルの例である。
【図７】線形補間による出力データの算出を説明するための図である。
【図８】本発明の液晶表示装置における信号変換用補間テーブルの例である。
【図９】本発明による液晶表示装置の側面断面図である。
【図１０】本発明の液晶表示装置において、バックライトの点灯タイミングを示した図である。
【図１１】本発明の液晶表示装置において、液晶の光学応答とバックライトの点灯タイミングとの関係を示した図である。
【図１２】本発明の液晶表示装置において、バックライトの点灯タイミングを示した図である。
【図１３】本発明の液晶表示装置において、バックライトの点灯タイミングを示した図である。
【図１４】本発明による液晶表示装置の側面断面図である。
【図１５】本発明による液晶表示装置を示したブロック図である。
【図１６】本発明の液晶表示装置において、消去信号の印加と液晶の光学応答との関係を示した図である。
【図１７】消去信号書き込み後に、通常の電圧を印加する場合、および補正電圧を印加する場合について、液晶の透過率の変化を示した図である。
【図１８】印加電圧の大小と液晶の透過率変化との関係を示した図である。
【図１９】本発明の液晶表示装置における信号変換用テーブルの例である。
【図２０】動画表示における表示品質の低下を説明する模式図である。
【図２１】電圧印加と液晶の応答との関係を説明するための図である。
【図２２】ＴＦＴ方式の液晶表示装置とＣＲＴとの発光状態の相違を説明するための図である。
【図２３】従来の液晶表示装置の構成を示す概略図である。
【図２４】従来の液晶表示装置において、液晶の光学応答とバックライトの点灯タイミングの関係を示すタイミング図である。
【符号の説明】
【０１１２】
２  液晶表示装置、４  フレームメモリ、６  演算器、８  ソースドライバ、１０  ゲートドライバ、１２  制御回路、１８  信号切換回路、２０  垂直駆動回路、２２  表示パネル、２４  画像表示部、２６  温度センサ、２８  温度検出回路、３０  水平駆動回路、３２  パラメータメモリ、３２ａ  信号変換用テーブル、３２ｂ  信号変換用補間テーブル、３４  画像信号処理回路、３６  バックライト、３８  ランプ、４２  バックライト点灯回路、４４  シャッタ、  ４６  シャッタ制御回路。
【図１】
2006048074.tif 000003
【図２】
2006048074.tif 000004
【図３】
2006048074.tif 000005
【図４】
2006048074.tif 000006
【図５】
2006048074.tif 000007
【図６】
2006048074.tif 000008
【図７】
2006048074.tif 000009
【図８】
2006048074.tif 000010
【図９】
2006048074.tif 000011
【図１０】
2006048074.tif 000012
【図１１】
2006048074.tif 000013
【図１２】
2006048074.tif 000014
【図１３】
2006048074.tif 000015
【図１４】
2006048074.tif 000016
【図１５】
2006048074.tif 000017
【図１６】
2006048074.tif 000018
【図１７】
2006048074.tif 000019
【図１８】
2006048074.tif 000020
【図１９】
2006048074.tif 000021
【図２０】
2006048074.tif 000022
【図２１】
2006048074.tif 000023
【図２２】
2006048074.tif 000024
【図２３】
2006048074.tif 000025
【図２４】
2006048074.tif 000026